(57)【要約】【課題】時計を用いて扉が開閉した時刻を計測したりその時刻を記録したりすることなく、扉開閉回数の少ない時間帯に所定の動作が行われる冷蔵庫を提供する。【解決手段】実施形態の冷蔵庫は、貯蔵室の扉の開閉を検知する扉開閉検知部と、所定機能と、前記所定機能を制御する制御部とを備え、前記制御部は、前記扉開閉検知部で扉の開閉の検知を開始する開始時刻とそれを終了する終了時刻とを設定し、前記開始時刻と前記終了時刻とのいずれか一方の時刻に基づいて前記所定機能を動作させ、前記開始時刻から前記終了時刻までの間に扉の開閉を検知すると、前記開始時刻と前記終了時刻とを所定時間ずらす。【選択図】図４
2019174111.tif 000002
【特許請求の範囲】
【請求項１】
貯蔵室の開口部を開閉する扉と、前記扉の開閉を検知する扉開閉検知部と、所定機能と、前記所定機能を制御する制御部とを備え、
前記制御部は、前記扉開閉検知部で前記扉の開閉の検知を開始する開始時刻と前記扉の開閉の検知を終了する終了時刻とを設定し、前記開始時刻と前記終了時刻との少なくともいずれか一方の時刻に基づいて前記所定機能を動作させ、前記開始時刻から前記終了時刻までの間に前記扉の開閉を検知すると、前記開始時刻と前記終了時刻とを所定時間ずらす冷蔵庫。
【請求項２】
前記所定時間は前記開始時刻から前記終了時刻までの時間以下である、請求項１に記載の冷蔵庫。
【請求項３】
前記制御部は、前記開始時刻から前記終了時刻までの間に、前記所定機能の動作を開始する、請求項１又は２に記載の冷蔵庫。
【請求項４】
前記制御部は、前記終了時刻後に前記所定機能の動作を開始する、請求項１又は２に記載の冷蔵庫。
【請求項５】
前記制御部は、前記開始時刻から前記終了時刻までの間に前記扉開閉検知部が前記扉の開閉を検知しなかったことが所定回数連続した場合は、その次の前記開始時刻から前記終了時刻までの間に前記扉開閉検知部が前記扉の開閉を検知しても、前記開始時刻と前記終了時刻とを所定時間ずらさない、請求項１〜４のいずれか１項に記載の冷蔵庫。
【請求項６】
前記所定機能が、貯蔵室内の酸素濃度を低下させる減酸素機能である、請求項１〜５のいずれか１項に記載の冷蔵庫。
【発明の詳細な説明】
【技術分野】
【０００１】
本発明の実施形態は冷蔵庫に関する。
【背景技術】
【０００２】
従来から、時計及び扉開閉検知手段が搭載された冷蔵庫が知られている。この冷蔵庫は、扉が開閉した時刻を記録し続け、その結果から扉開閉回数の多い時間帯と少ない時間帯とを判定し記憶する。そして記憶された判定結果に基づき、冷蔵庫は、扉開閉回数の多い時間帯には所定の動作（例えば冷蔵庫内の微細粒子除去）を実施せず、扉開閉回数の少ない時間帯には所定の動作を実施する（例えば特許文献１参照）。そのため、冷蔵庫は、扉開閉回数の多い時間帯に実施することが好ましくない所定の動作が扉開閉回数の多い時間帯に実施されることを防ぐことができる。
【先行技術文献】
【特許文献】
【０００３】
【特許文献１】特開２０１５−１４３９８号公報
【発明の概要】
【発明が解決しようとする課題】
【０００４】
しかしこのような冷蔵庫では必ずしも制御が簡単とは言えなかったこともあり、扉開閉回数の少ない時間帯に所定の動作を行う別の方法が望まれていた。
【０００５】
そこで本発明は扉開閉回数の少ない時間帯に所定の動作が行われる冷蔵庫を提供することを課題とする。
【課題を解決するための手段】
【０００６】
実施形態の冷蔵庫は、貯蔵室の開口部を開閉する扉と、前記扉の開閉を検知する扉開閉検知部と、所定機能と、前記所定機能を制御する制御部とを備え、前記制御部は、前記扉開閉検知部で前記扉の開閉の検知を開始する開始時刻と前記扉の開閉の検知を終了する終了時刻とを設定し、前記開始時刻と前記終了時刻との少なくともいずれか一方の時刻に基づいて前記所定機能を動作させ、前記開始時刻から前記終了時刻までの間に前記扉の開閉を検知すると、前記開始時刻と前記終了時刻とを所定時間ずらす。
【図面の簡単な説明】
【０００７】
【図１】実施形態の冷蔵庫１０の断面図。
【図２】減酸素装置５０の冷蔵庫前後方向の断面図。
【図３】冷蔵庫１０のブロック図。
【図４】制御部７０による制御例１を示すフローチャート。
【図５】制御部７０による制御例２を示すフローチャート。
【図６】制御部７０による制御例３を示すフローチャート。
【図７】制御部７０による制御例４を示すフローチャート。
【発明を実施するための形態】
【０００８】
本実施形態について図面に基づき説明する。
【０００９】
（本実施形態の冷蔵庫１０の構造）
本実施形態に係る冷蔵庫１０は、図１に示すように、冷蔵庫１０の外郭を形成する外箱と、貯蔵空間が形成されている内箱とが組み合わさった冷蔵庫本体１２を備える。外箱と内箱との間には発泡断熱材等が充填されている。貯蔵空間は、上側の冷蔵空間２０と下側の冷凍空間４０とに区画されている。
【００１０】
冷蔵空間２０は、冷蔵温度（例えば、２〜３℃）に冷却される空間である。冷蔵空間２０の内部は、貯蔵室としての上側の冷蔵室２１と、同じく貯蔵室としての下側の野菜室２２とに区画されている。冷蔵室２１内の下部には、チルド室２３が設けられている。チルド室２３内は、冷蔵室２１内の中でも特に低温に保持される場所で、肉や魚等が収納される場所である。冷蔵室２１の開口部は、その片側の上下に設けられたヒンジにより回動自在に設けられた冷蔵室扉２４により閉塞されている。
【００１１】
野菜室２２の開口部は引き出し式扉２５により閉塞されている。引き出し式扉２５の裏側には野菜容器２６が保持されている。この野菜容器２６は、引き出し式扉２５と一体となって引き出されるように構成されている。野菜室２２の引き出し式扉２５の開閉は、扉開閉検知部としての扉センサ７３（図３参照）で検知可能である。野菜室２２内の野菜容器２６の上方には、内部の酸素濃度が低減される減酸素室３０が設けられている。減酸素室３０は、野菜室２２の上壁に固定されたホルダ３１と、ホルダ３１の前方開口部から出し入れ可能な収納容器３２とを備える。収納容器３２は引き出し式のものであり、その前面が減酸素室３０の前扉を兼ねている。
【００１２】
減酸素室３０の後壁には減酸素装置５０が嵌め込まれている。減酸素装置５０の前方の部分は減酸素室３０内に配置され、減酸素装置５０の後方の部分は減酸素室３０外に配置されている。減酸素装置５０の構造は、限定されないが、例えば図２に示されているようにケース５１内に複数のシート状部材が積層されて収納された構造となっている。シート状部材の１つは、電子や陰イオンは通過できないが陽イオンは通過できる高分子電解質膜５５である。この高分子電解質膜５５の前方にはカソード層５６が、後方にはアノード層５７が、それぞれ配置されている。また、カソード層５６の前方にはマイナス側の集電体５８が、アノード層５７の後方にはプラス側の集電体５９が、それぞれ配置されている。集電体５８、５９はメッシュ状であり気体が通過できる。マイナス側の集電体５８とプラス側の集電体５９とは電源に接続されている。さらに、マイナス側の集電体５８の前方とプラス側の集電体５９の後方には、それぞれ撥水層６１、６２が配置されている。撥水層６１、６２は、水を透過させないが水蒸気を透過させる高分子膜でできている。プラス側の集電体５９の後方の撥水層６２の後方には、給水シート６３が配置されている。給水シート６３は、不織布でできており、減酸素装置５０より下方に設けられた貯水部から水を吸い上げる。以上のように積層された複数のシート状部材は、固定部材６５、６６によりケース５１内で前後から固定されている。ケース５１は、前面に減酸素室３０内へ開口している開口部５２を、後面に減酸素室３０外へ開口している開口部５３を有する。
【００１３】
このような構造の減酸素装置５０において、マイナス側の集電体５８とプラス側の集電体５９とに通電すると、カソード層５６とアノード層５７で次の反応が生じる。
カソード層５６  Ｏ２＋４Ｈ＋＋４ｅ−→２Ｈ２Ｏ
アノード層５７  ２Ｈ２Ｏ→Ｏ２＋４Ｈ＋＋４ｅ−
つまり、給水シート６３で発生して撥水層６２を通過した水蒸気がアノード層５７で分解され、陽イオンである水素イオンが発生する。その水素イオンが高分子電解質膜５５を通過しカソード層５６で酸素と結合することにより、カソード層５６で水が発生する。
【００１４】
減酸素室３０内の空気は、ケース５１の開口部５２を通ってカソード層５６に到達する。その空気に含まれる酸素は、上記のようにカソード層５６で水素イオンと結合し水となる。そのため、集電体５８、５９への通電状態が続くと、減酸素室３０内の空気に含まれる酸素が減少して行く。一方、アノード層５７で水素イオンと共に発生した酸素は、ケース５１の開口部５３を通って減酸素室３０外へ排出される。このようにして、減酸素室３０内の酸素濃度が低減される。減酸素室３０内の酸素濃度を低減する機能を所定機能としての減酸素機能と言う。減酸素機能の動作中に野菜室２２の引き出し式扉２５が開閉されると、野菜室２２内の減酸素室３０内に酸素が入り、減酸素室３０内の酸素濃度が増加する。そのため減酸素機能の動作中は引き出し式扉２５が開閉されないことが望ましい。
【００１５】
なお、減酸素装置５０は、チルド室２３等の他の貯蔵室に設けられていても良い。
【００１６】
冷蔵空間２０の背後には冷却器室が設けられ、冷却器室内に冷気を発生させる冷蔵用冷却器７１が収納されている。冷蔵用冷却器７１で発生した冷気は、ファン２７により冷蔵空間２０へ送られ、冷蔵空間２０内を冷却する。冷蔵用冷却器７１の近傍には、冷蔵用冷却器７１に付着した霜を溶かして取り除く除霜装置２８が設けられている。
【００１７】
冷凍空間４０は、冷凍温度（例えば、−１８℃以下）に冷却される空間である。冷凍空間４０内の上部には製氷室４１が設けられている。製氷室４１内には貯氷容器４５が設けられ、製氷室４１の開口部を閉塞する引き出し式扉４６と一体となって引き出されるように構成されている。冷凍空間４０内の下部には冷凍室４２が設けられている。冷凍室４２の開口部は引き出し式扉４３により閉塞されている。引き出し式扉４３の裏側には収納容器４４が保持されている。この収納容器４４は、引き出し式扉４３と一体となって引き出されるように構成されている。収納容器４４の上方にさらに別の収納容器が設けられていても良い。冷凍空間４０の背後には冷却器室が設けられ、冷却器室内に冷気を発生させる冷凍用冷却器７２が収納されている。冷凍用冷却器７２で発生した冷気は、ファン４７により冷凍空間４０へ送られ、冷凍空間４０内を冷却する。冷凍用冷却器７２の近傍には、冷凍用冷却器７２に付着した霜を溶かして取り除く除霜装置４８が設けられている。
【００１８】
本実施形態の冷蔵庫１０は、時計すなわち時刻を知るための機器を有さないが、タイマ７４（図３参照）すなわち時間を知るための機器を有する。タイマ７４は例えば２４時間を計測できるものである。ここで、時刻とは時の流れのある一点のことで、時間とは時の流れのある一点から別のある一点までの長さのことである。よって、ある時刻から別のある時刻までの長さが時間である。また時間帯とは、ある時刻から別のある時刻までのことである。
【００１９】
図３のブロック図に示すように、冷蔵庫１０は冷蔵庫の制御を行う制御部７０を備える。制御部７０には、冷蔵用冷却器７１、冷凍用冷却器７２、減酸素装置５０、ファン２７、４７、除霜装置２８、４８、野菜室２２の引き出し式扉２５の扉センサ７３、タイマ７４等が接続されている。制御部７０は接続されているこれらの機器等を制御する。
【００２０】
以上の構造の冷蔵庫１０において、制御部７０は、野菜室２２の引き出し式扉２５の開閉が無い時間帯に減酸素機能が動作するように制御する。そのために、制御部７０は、野菜室２２の引き出し式扉２５の開閉の有無を一定時間監視し続け、引き出し式扉２５の開閉があった場合にはこれを扉センサ７３で検知する。この監視を行うため、制御部７０は、監視を開始する開始時刻（監視開始時刻とする）と、監視を終了する終了時刻（監視終了時刻とする）とを設定する。そして、監視開始時刻から監視終了時刻までの時間帯（監視時間帯とする）に扉センサ７３が引き出し式扉２５の開閉を検知すると、制御部７０は監視開始時刻と監視終了時刻とを所定時間ずらす。また、制御部７０は、監視開始時刻と監視終了時刻との少なくともいずれか一方の時刻を基準として、減酸素機能を動作させる。そのため、監視時間帯に引き出し式扉２５が開閉して監視開始時刻と監視終了時刻とが所定時間ずれると、減酸素機能が動作する時刻もずれることになる。
【００２１】
この制御において、時刻は、時計によってではなく、タイマ７４による計測開始時からの経過時間で認識される。冷蔵庫の利用者は台所の時計等によって時刻を認識できるが、冷蔵庫１０の制御部７０は時刻を認識できない。冷蔵庫の利用者が認識する時刻と冷蔵庫１０の制御部７０が認識するタイマ７４による計測開始時からの経過時間とが１対１の対応関係になる。
【００２２】
このような制御の例として、以下に制御例１〜４を示す。図４〜図７は制御例１〜４を表したものである。
【００２３】
（本実施形態の制御例１）
図４の制御例１は、制御部７０が、監視開始時刻に減酸素機能の動作を開始し、また、監視時間帯に引き出し式扉２５の開閉が検知された場合は翌日以降の監視時間帯を変更する例である。
【００２４】
制御例１では、制御がスタートすると（Ｓ１）、制御部７０は扉センサ７３による引き出し式扉２５の開閉の監視開始時刻と監視終了時刻とを設定する。ただし、監視開始時刻と監視終了時刻は、タイマ７４による計測開始時からの経過時間で設定される。タイマ７４による計測開始時から監視開始時刻までの時間を第一時間、タイマ７４による計測開始時から監視終了時刻までの時間を第二時間とすると、制御部７０は実際には第一時間と第二時間とを設定することになる（Ｓ２）。第一時間と第二時間の長さは限定されないが、第二時間は第一時間よりも長い。第一時間の長さは０であっても良い。タイマ７４による計測開始時から第一時間だけ計測した時を第一時間経過時、タイマ７４による計測開始時からから第二時間だけ計測した時を第二時間経過時とすると、第一時間経過時から第二時間経過時までが監視時間帯に対応する。監視時間帯の長さは限定されないが、例えば１時間程度とする。
【００２５】
次に制御部７０はタイマ７４による計測を開始する（Ｓ３）。そして第一時間経過時になると（Ｓ４のＹｅｓ）、制御部７０は、引き出し式扉２５の開閉の監視を開始する。またそれと同時に制御部７０は減酸素機能の動作を開始する（Ｓ５）。
【００２６】
その後、扉センサ７３が引き出し式扉２５の開閉を検知せず（Ｓ６のＮｏ）、第二時間経過時になった場合（Ｓ７のＹｅｓ）、制御部７０は引き出し式扉２５の開閉の監視を終了する。またそれと同時に制御部７０は減酸素機能の動作を終了する（Ｓ８）。その後、２４時間経過時（タイマ７４による計測開始時から２４時間だけ計測した時）となると（Ｓ９のＹｅｓ）、制御部７０はタイマ７４が計測した時間をリセットする（Ｓ１０）。そして制御部７０はタイマ７４による計測を再開する（Ｓ３）。なお、タイマ７４のリセットは２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００２７】
このように、第一時間経過時から第二時間経過時までに扉センサ７３が引き出し式扉２５の開閉を検知しなかった場合は、制御部７０は第一時間と第二時間とを変更しない。つまり、監視時間帯に扉センサ７３が引き出し式扉２５の開閉を検知しなかった場合は、制御部７０は監視開始時刻と監視終了時刻とを変更しない。
【００２８】
一方、第一時間経過時から第二時間経過時までに扉センサ７３が引き出し式扉２５の開閉を検知した場合（Ｓ６のＹｅｓ）、まず、第二時間経過時となったら（Ｓ１１のＹｅｓ）、制御部７０は引き出し式扉２５の開閉の監視を終了する。またそれと同時に制御部７０は減酸素機能の動作を終了する（Ｓ１２）。そして２４時間経過時となると（Ｓ１３のＹｅｓ）、制御部７０は第一時間と第二時間とを再設定する（Ｓ１４）。具体的には、監視開始時刻と監視終了時刻とが遅くなるように、それまでの第一時間と第二時間とにそれぞれ所定時間を加算し、新しい第一時間と第二時間とする。そして、制御部７０はタイマ７４が計測した時間をリセットする（Ｓ１５）。その後制御部７０はタイマ７４による計測を再開する（Ｓ３）。なお、監視時間帯の長さを変化させないため、第一時間に加算される所定時間と第二時間に加算される所定時間とは同じ長さである。また、第一時間と第二時間の再設定及びタイマ７４のリセットは、２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００２９】
このように、第一時間経過時から第二時間経過時までに扉センサ７３が引き出し式扉２５の開閉を検知した場合は、制御部７０は第一時間と第二時間とを変更して長くする。つまり、監視時間帯に扉センサ７３が引き出し式扉２５の開閉を検知した場合は、制御部７０は監視開始時刻と監視終了時刻とを遅らせる。
【００３０】
ここで、第一時間と第二時間とに加算される所定時間の長さは限定されない。所定時間の長さは予め設定された長さでも良い。その場合、所定時間の長さは、監視時間帯の長さより短いことが望ましい。また、所定時間は、監視開始時刻から引き出し式扉２５の開閉を検知した時刻までの時間であっても良い。
【００３１】
以上の制御例１では、このように、監視時間帯に、引き出し式扉２５の開閉が監視され続け、また減酸素機能の動作が実施され続ける。そして監視時間帯に引き出し式扉２５の開閉が検知されなかった場合は、監視時間帯は変更されず、翌日以降も同じ監視時間帯に減酸素機能の動作が実施される。一方、監視時間帯に引き出し式扉２５の開閉が検知された場合は、翌日以降の監視時間帯は変更されて遅い時間帯となり、翌日以降は変更された監視時間帯に減酸素機能の動作が実施される。これが毎日繰り返されて、監視時間帯に引き出し式扉２５の開閉が検知される度に、翌日以降の監視時間帯が遅い時間帯となり減酸素機能の動作の実施時間帯が遅くなっていく。監視時間帯の変更が何度か繰り返されるうちに、監視時間帯が、冷蔵庫１０の利用者が生活パターン上冷蔵庫を利用しない時間帯に入る。すると監視時間帯に引き出し式扉２５の開閉が検知されることが無くなり、監視時間帯がそれ以上遅くならなくなる。このようにして監視時間帯がほぼ固定され、減酸素機能が動作する時間帯もほぼ固定される。
【００３２】
以上の制御例１には様々な変更を加えることができる。
【００３３】
例えば、減酸素機能の動作が開始されるのは、第一時間経過時からさらに所定時間だけ計測した時であっても良い。ただし減酸素機能の動作が開始されるのは第二時間経過時より前である。つまり、減酸素機能の動作が開始される時刻は、監視開始時刻から監視終了時刻までの間の時刻（ただし監視開始時刻を含み監視終了時刻を含まない）である。
【００３４】
また、減酸素機能の動作は、第二時間経過時とは無関係に、減酸素機能の動作の開始から一定時間だけ計測した時に終了しても良い。従って、減酸素機能の動作は、第二時間経過時後さらに相当時間経過した時に終了しても良いし、第二時間経過時より前に終了しても良い。第一時間経過時から第二時間経過時までの長さが１時間で、減酸素機能の動作が４時間続くとすると、減酸素機能の動作は第二時間経過時後さらに３時間経過した時に終了することになる。
【００３５】
（本実施形態の制御例２）
図５の制御例２は、制御部７０が、監視終了時刻後に減酸素機能の動作を開始し、また、監視時間帯に扉センサ７３が引き出し式扉２５の開閉を検知した場合は当日以降（つまり当日を含む）の監視時間帯を変更する例である。
【００３６】
制御例２では、制御がスタートすると（Ｓ１）、制御部７０は、制御例１の場合と同様に、第一時間と第二時間とを設定する（Ｓ２）。次に制御部７０はタイマ７４による計測を開始する（Ｓ３）。そして第一時間経過時となると（Ｓ４のＹｅｓ）、制御部７０は引き出し式扉２５の開閉の監視を開始する。
【００３７】
その後、扉センサ７３が引き出し式扉２５の開閉を検知せず（Ｓ５のＮｏ）、第二時間経過時となると（Ｓ６のＹｅｓ）、制御部７０は引き出し式扉２５の開閉の監視を終了し、その後直ちに減酸素機能の動作を開始する（Ｓ７）。減酸素機能は予め定められた時間である減酸素時間だけ継続して動作する。具体的には、タイマ７４が減酸素機能の動作の開始から減酸素時間だけ計測すると（Ｓ８のＹｅｓ）、制御部７０は減酸素機能の動作を終了する（Ｓ９）。その後、２４時間経過時となると（Ｓ１０のＹｅｓ）、制御部７０はタイマ７４が計測した時間をリセットする（Ｓ１１）。そして制御部７０はタイマ７４による計測を再開する（Ｓ３）。なお、タイマ７４のリセットは、２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００３８】
このように、第一時間経過時から第二時間経過時までに扉センサ７３が引き出し式扉２５の開閉を検知しなかった場合は、制御部７０は第一時間と第二時間とを変更しない。つまり、監視時間帯に扉センサ７３が引き出し式扉２５の開閉を検知しなかった場合は、制御部７０は監視開始時刻と監視終了時刻とを変更しない。
【００３９】
一方、第一時間経過時から第二時間経過時までに扉センサ７３が引き出し式扉２５の開閉を検知した場合（Ｓ５のＹｅｓ）、制御部７０は直ちに第一時間と第二時間とを再設定する（Ｓ１２）。具体的には、それまでの第一時間と第二時間とにそれぞれ所定時間を加算し、新しい第一時間と第二時間とする。ここで、監視時間帯の長さを変化させないため、第一時間に加算される所定時間と第二時間に加算される所定時間とは同じ長さである。第一時間と第二時間の再設定後、制御部７０はタイマ７４をリセットしない。そのためタイマ７４は引き続きＳ３の計測開始時からの経過時間を計測し続ける。また、第一時間と第二時間の再設定時に、制御部７０は引き出し式扉２５の開閉の監視を終了する。
【００４０】
そして、再設定された第一時間経過時となると（Ｓ４のＹｅｓ）、制御部７０は、再び引き出し式扉２５の開閉の監視を開始する。ただし、第一時間に加算される所定時間が短いと、第一時間の再設定が行われた時に既に再設定後の第一時間経過時を過ぎていることや、第一時間の再設定が行われる時が再設定後の第一時間経過時と一致することが起こり得る。それらの場合は、制御部７０は第一時間と第二時間の再設定後も引き続き引き出し式扉２５の開閉を監視し続けている。その後、扉センサ７３が引き出し式扉２５の開閉を検知せず（Ｓ５のＮｏ）、再設定された第二時間経過時となると（Ｓ６のＹｅｓ）、制御部７０は引き出し式扉２５の開閉の監視を終了する。その後制御部７０は上記と同様にＳ７以降の制御を実施する。しかし、再設定された第一時間経過時から再設定された第二時間経過時までに再び扉センサ７３が引き出し式扉２５の開閉を検知した場合（Ｓ５のＹｅｓ）、制御部７０は直ちに第一時間と第二時間とを再々設定する（Ｓ１２）。
【００４１】
このように、第一時間経過時から第二時間経過時までに扉センサ７３が引き出し式扉２５の開閉を検知した場合は、制御部７０は直ちに第一時間と第二時間とを変更して長くする。つまり、監視時間帯に扉センサ７３が引き出し式扉２５の開閉を検知した場合は、制御部７０は直ちに監視開始時刻と監視終了時刻とを遅らせる。
【００４２】
ここで、第一時間と第二時間とに加算される所定時間の長さは限定されない。所定時間の長さは予め設定された長さで良い。その場合、所定時間の長さは、監視時間帯の長さより短いことが望ましい。
【００４３】
また、所定時間は、最初に設定されていた監視開始時刻から引き出し式扉２５の開閉を検知した時刻までの時間であっても良い。その場合、再設定後の第一時間は、最初の第一時間に、タイマ７４が最初の第一時間だけ計測した時刻から引き出し式扉２５の開閉を検知した時刻までの時間を加算した時間になる。そのため、引き出し式扉２５の開閉を検知した時刻が、再設定後の第一時間経過時と一致する。そのため、扉センサ７３が引き出し式扉２５の開閉を検知すると、制御部７０は、そのまま再設定後の第二時間経過時まで、引き出し式扉２５の開閉の監視を続けることになる。
【００４４】
以上の制御例２では、このように、監視時間帯に引き出し式扉２５の開閉の監視が行われ、監視終了時刻後に減酸素機能の動作が実施される。監視時間帯に引き出し式扉２５の開閉が検知されなかった場合は、監視時間帯は変更されず、当日は最初に設定された監視時間帯の後直ちに減酸素機能の動作が実施される。一方、監視時間帯に引き出し式扉２５の開閉が検知された場合は、当日以降の監視時間帯は変更されて遅い時間帯となる。それに伴い当日以降の減酸素機能の動作の実施時間帯も遅い時間帯となる。そして再設定された監視時間帯に引き出し式扉２５の開閉が検知される度に、当日以降の監視時間帯と減酸素機能の動作の実施時間帯とが遅くなっていく。監視時間帯の変更が何度か繰り返されるうちに、監視時間帯が、冷蔵庫１０の利用者が生活パターン上冷蔵庫を利用しない時間帯に入る。すると監視時間帯に引き出し式扉２５の開閉が検知されることが無くなり、監視時間帯がそれ以上遅くならなくなる。このようにして監視時間帯がほぼ固定され、監視時間帯後の減酸素機能が動作する時間帯もほぼ固定される。
【００４５】
以上の制御例２には様々な変更を加えることができる。
【００４６】
例えば、減酸素機能の動作は、第二時間経過時の後直ちにではなく、第二時間経過時からさらにタイマ７４が所定時間だけ計測した時に開始されても良いし、第二時間経過時に開始されても良い。
【００４７】
（本実施形態の制御例３）
図６の制御例３は、制御部７０が、監視終了時刻後に減酸素機能の動作を開始し、また、監視時間帯に扉センサ７３が引き出し式扉２５の開閉を検知した場合は翌日以降の監視時間帯を変更する例である。
【００４８】
制御例３では、制御がスタートすると（Ｓ１）、制御部７０は、制御例１の場合と同様に、第一時間と第二時間とを設定する（Ｓ２）。次に制御部７０はタイマ７４による計測を開始する（Ｓ３）。そして第一時間経過時になると（Ｓ４のＹｅｓ）、制御部７０は引き出し式扉２５の開閉の監視を開始する。
【００４９】
その後、扉センサ７３が引き出し式扉２５の開閉を検知せず（Ｓ５のＮｏ）、第二時間経過時となると（Ｓ６のＹｅｓ）、制御部７０は引き出し式扉２５の開閉の監視を終了し、その後直ちに減酸素機能の動作を開始する（Ｓ７）。減酸素機能は予め定められた時間である減酸素時間だけ継続して動作する。具体的には、タイマ７４が減酸素機能の動作の開始から減酸素時間だけ計測すると（Ｓ８のＹｅｓ）、制御部７０は減酸素機能の動作を終了する（Ｓ９）。その後、２４時間経過時になると（Ｓ１０のＹｅｓ）、制御部７０はタイマ７４が計測した時間をリセットする（Ｓ１１）。そして制御部７０はタイマ７４による計測を再開する（Ｓ３）。なお、タイマ７４のリセットは２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００５０】
このように、第一時間経過時から第二時間経過時までに扉センサ７３が引き出し式扉２５の開閉を検知しなかった場合は、制御部７０は第一時間と第二時間とを変更しない。つまり、監視時間帯に扉センサ７３が引き出し式扉２５の開閉を検知しなかった場合は、制御部７０は監視開始時刻と監視終了時刻とを変更しない。
【００５１】
一方、第一時間経過時から第二時間経過時までに扉センサ７３が引き出し式扉２５の開閉を検知した場合（Ｓ５のＹｅｓ）も、制御部７０は、それを検知しなかった場合のステップＳ６〜Ｓ１０と同じステップＳ１２〜Ｓ１６を実施する。そして、２４時間経過時になると（Ｓ１６のＹｅｓ）、制御部７０は第一時間と第二時間とを再設定する（Ｓ１７）。具体的には、監視開始時刻と監視終了時刻が遅くなるように、それまでの第一時間と第二時間とにそれぞれ所定時間を加算し、新しい第一時間と第二時間とする。ここで、監視時間帯の長さを変化させないため、第一時間に加算される所定時間と第二時間に加算される所定時間とは同じ長さである。そして制御部７０はタイマ７４をリセットする（Ｓ１８）。そして制御部７０はタイマ７４による計測を再開する（Ｓ３）。なお、第一時間と第二時間の再設定及びタイマ７４のリセットは、２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００５２】
このように、第一時間経過時から第二時間経過時までに扉センサ７３が引き出し式扉２５の開閉を検知した場合は、制御部７０は翌日以降の第一時間と第二時間とを設定して長くする。つまり、監視時間帯に扉センサ７３が引き出し式扉２５の開閉を検知した場合は、制御部７０は翌日以降の監視開始時刻と監視終了時刻とを遅らせる。
【００５３】
ここで、第一時間と第二時間とに加算される所定時間の長さは限定されない。所定時間の長さは予め設定された長さでも良い。その場合、所定時間の長さは、監視時間帯の長さより短いことが望ましい。また、所定時間は、監視開始時刻から引き出し式扉２５の開閉を検知した時刻までの時間であっても良い。
【００５４】
以上の制御例３では、このように、監視時間帯に引き出し式扉２５の開閉の監視が行われ、監視終了時刻後に減酸素機能の動作が実施される。監視時間帯に引き出し式扉２５の開閉が検知されなかった場合は、監視時間帯は変更されず、当日は最初に設定された監視時間帯の後直ちに減酸素機能の動作が実施される。一方、監視時間帯に引き出し式扉２５の開閉が検知された場合は、翌日以降の監視時間帯は変更されて遅い時間帯となる。それに伴い翌日以降の減酸素機能の動作の実施時間帯も遅い時間帯となる。このように監視時間帯に引き出し式扉２５の開閉が検知される度に、翌日以降の監視時間帯と減酸素機能の動作の実施時間帯とが遅くなっていく。監視時間帯の変更が何度か繰り返されるうちに、監視時間帯が、冷蔵庫１０の利用者が生活パターン上冷蔵庫を利用しない時間帯に入る。すると監視時間帯に引き出し式扉２５の開閉が検知されることが無くなり、監視時間帯がそれ以上遅くならなくなる。このようにして監視時間帯がほぼ固定され、監視時間帯後の減酸素機能が動作する時間帯もほぼ固定される。
【００５５】
以上の制御例３には様々な変更を加えることができる。
【００５６】
例えば、減酸素機能の動作は、第二時間経過時後直ちにではなく、第二時間経過時からさらにタイマ７４が所定時間だけ計測した時に開始されても良いし、第二時間経過時に開始されても良い。
【００５７】
（本実施形態の制御例４）
図７の制御例４は、制御部７０が、監視終了時刻後に減酸素機能の動作を開始し、また、監視時間帯に扉センサ７３が引き出し式扉２５の開閉を検知した場合は当日以降（つまり当日を含む）の監視時間帯を変更する例である。制御例４では、さらに、監視終了時刻以後の減酸素機能の動作中も制御部７０が引き出し式扉２５の開閉を監視し続け、引き出し式扉２５の開閉を検知した場合は、制御部７０は翌日以降の監視時間帯を変更する。
【００５８】
制御例４では、制御がスタートすると（Ｓ１）、制御部７０は、制御例１の場合と同様に、第一時間と第二時間とを設定する（Ｓ２）。次に制御部７０はタイマ７４による計測を開始する（Ｓ３）。そして第一時間経過時になると（Ｓ４のＹｅｓ）、制御部７０は引き出し式扉２５の開閉の監視を開始する。
【００５９】
その後、扉センサ７３が引き出し式扉２５の開閉を検知せず（Ｓ５のＮｏ）、第二時間経過時になった場合（Ｓ６のＹｅｓ）、制御部７０は引き出し式扉２５の開閉の監視を終了し、その後直ちに減酸素機能の動作を開始する（Ｓ７）。
【００６０】
一方、第一時間経過時から第二時間経過時までに扉センサ７３が引き出し式扉２５の開閉を検知した場合（Ｓ５のＹｅｓ）、制御例２の場合と同様に、制御部７０は直ちに第一時間と第二時間とを再設定する（Ｓ１３）。再設定の方法、及び、再設定後最終的な第二時間経過時までのステップは、制御例２に記載されている通りである。その後、最終的に設定された第二時間経過時になると（Ｓ６のＹｅｓ）、制御部７０は引き出し式扉２５の開閉の監視を終了し、その後直ちに減酸素機能の動作を開始する（Ｓ７）。このように、第一時間経過時から第二時間経過時までに扉センサ７３が引き出し式扉２５の開閉を検知した場合は、制御部７０は直ちに第一時間と第二時間とを変更して長くする。つまり、監視時間帯に扉センサ７３が引き出し式扉２５の開閉を検知した場合は、制御部７０は当日以降の監視開始時刻と監視終了時刻とを遅らせる。
【００６１】
制御例４では、制御部７０は、減酸素機能の動作を開始すると同時に再び引き出し式扉２５の開閉の監視を開始し、減酸素機能の動作中引き出し式扉２５の開閉を監視し続ける。減酸素機能は予め定められた時間である減酸素時間だけ継続して動作する。タイマ７４は減酸素時間を計測している。
【００６２】
扉センサ７３が引き出し式扉２５の開閉を検知せずに（Ｓ８のＮｏ）、減酸素時間経過時（タイマ７４が、減酸素機能の動作の開始から減酸素時間だけ計測した時）となると（Ｓ９のＹｅｓ）、制御部７０は減酸素機能の動作を終了する（Ｓ１０）。それと同時に、制御部７０は引き出し式扉２５の開閉の監視も終了する。その後２４時間経過時となると（Ｓ１１のＹｅｓ）、制御部７０はタイマ７４が計測した時間をリセットする（Ｓ１２）。そして制御部７０はタイマ７４による計測を再開する（Ｓ３）。なお、タイマ７４のリセットは２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００６３】
このように、減酸素機能の動作中に扉センサ７３が引き出し式扉２５の開閉を検知しなかった場合は、制御部７０は第一時間と第二時間とを変更しない。つまりこの場合は、制御部７０は監視開始時刻と監視終了時刻とを変更しない。
【００６４】
一方、減酸素機能の動作中に扉センサ７３が引き出し式扉２５の開閉を検知した場合（Ｓ８のＹｅｓ）、制御部７０は減酸素時間経過時前まで減酸素機能の動作を継続する。そして、減酸素時間経過時となると（Ｓ１４のＹｅｓ）、制御部７０は、減酸素機能の動作を終了し（Ｓ１５）、それと同時に引き出し式扉２５の開閉の監視も終了する。その後２４時間経過時となると（Ｓ１６のＹｅｓ）、制御部７０は第一時間と第二時間とを再設定する（Ｓ１７）。具体的には、監視開始時刻と監視終了時刻が遅くなるように、それまでの第一時間と第二時間とにそれぞれ所定時間を加算し、新しい第一時間と第二時間とする。なお、監視時間帯の長さを変化させないため、第一時間に加算される所定時間と第二時間に加算される所定時間とは同じ長さである。また制御部７０はタイマ７４をリセットする（Ｓ１８）。そして制御部７０はタイマ７４による計測を再開する（Ｓ３）。なお、第一時間と第二時間の再設定及びタイマ７４のリセットは、２４時間経過時になされるため、タイマ７４による計測を再開する時刻は、前日にタイマ７４による計測を開始した時刻と同じである。つまり制御部７０は２４時間毎にタイマ７４をリセットし計測を再開する。
【００６５】
このように、減酸素機能の動作中に扉センサ７３が引き出し式扉２５の開閉を検知した場合は、制御部７０は、第一時間と第二時間とを変更して長くし、翌日以降の監視開始時刻と監視終了時刻とを遅らせる。
【００６６】
以上の制御例４では、制御例２のように監視終了時刻後に減酸素機能の動作が開始される。しかし制御例２と異なり、制御部７０は、減酸素機能の動作中も引き出し式扉２５の開閉を監視し、引き出し式扉２５の開閉を検知した場合は、翌日以降の監視時間帯を変更して遅い時間帯とする。それに伴い翌日以降の減酸素機能の動作の時間帯も遅い時間帯となる。これが毎日繰り返されて、監視時間帯後の減酸素機能の動作中に引き出し式扉２５の開閉が検知される度に、翌日以降の監視時間帯と減酸素機能の動作時間帯が遅くなっていく。監視時間帯の変更が何度か繰り返されるうちに、監視時間帯が、冷蔵庫１０の利用者が生活パターン上冷蔵庫を利用しない時間帯に入る。すると監視時間帯に引き出し式扉２５の開閉が検知されることが無くなり、監視時間帯がそれ以上遅くならなくなる。このようにして監視時間帯がほぼ固定され、減酸素機能が動作する時間帯もほぼ固定される。
【００６７】
以上の制御例４には様々な変更を加えることができる。
【００６８】
例えば、減酸素機能の動作は、第二時間経過時後直ちにではなく、第二時間経過時からさらにタイマ７４が所定時間だけ計測した時に開始されても良いし、第二時間経過時に開始されても良い。
【００６９】
また、減酸素機能の動作が第二時間経過時後直ちに実施される場合は、制御部７０は、引き出し式扉２５の開閉の監視を、第二時間経過時に中断せずに、減酸素機能の動作中まで継続して実施しても良い。
【００７０】
また、減酸素時間を計測するタイマは、第一時間及び第二時間を計測するタイマ７４とは別のものであっても良い。
【００７１】
（本実施形態の効果）
以上の制御例１〜４のいずれでも、最終的に、監視時間帯と減酸素機能の動作時間帯とが、冷蔵庫１０の利用者が生活パターン上冷蔵庫を利用しない時間帯になる。そのため減酸素機能の動作中に引き出し式扉２５が開閉される可能性が低くなる。また、扉が開閉した時刻を時計で計測しその時刻を記録する必要が無いため、冷蔵庫１０の制御のためのソフトが複雑化せず、それに起因する不具合も発生しにくい。
【００７２】
また、監視時間帯に扉センサ７３が引き出し式扉２５の開閉を検知した場合に第一時間と第二時間とに加算される所定時間の長さが、監視時間帯の長さより短ければ、検知の度に監視時間帯が少しずつずれていくことになる。そのため、制御部７０は、監視時間帯として最適な時間帯を確実に探し当てることになり、その時間帯を実際の監視時間帯とすることができる。
【００７３】
また、制御例１のように監視時間帯に減酸素機能の動作を開始する制御では、最終的に、実際に引き出し式扉２５の開閉が無い時間帯が監視時間帯となり、その監視時間帯に減酸素機能の動作が開始されることになるため、減酸素機能の動作中に引き出し式扉２５が開閉されることを防ぐことができる。
【００７４】
また、一般的な行動パターンに基づくと、冷蔵庫利用者が野菜室２２の引き出し式扉２５を開閉しない時間は長時間続き、一定時間（例えば１時間）引き出し式扉２５が開閉されない場合はその後の一定時間（例えば４時間）も引き出し式扉２５が開閉されない可能性が高い。制御例２〜４はこのことを利用した制御で、これらの制御では監視時間帯に引き出し式扉２５が開閉されないことが確認されてから減酸素機能の動作が開始されるため、減酸素機能の動作中も引き出し式扉２５が開閉される可能性が低い。
【００７５】
（本実施形態の変更例）
監視開始時刻と監視終了時刻との少なくともいずれか一方の時刻に基づいて動作する所定機能は、減酸素機能以外の機能であっても良い。他の所定機能として、例えば、節電機能や除霜機能等が挙げられる。節電機能は、冷蔵庫１０の消費電力を抑える機能で、例えば冷蔵用冷却器７１の設定温度を通常時（節電機能が動作していない時）の設定温度よりも高くする機能である。除霜機能は、冷蔵用冷却器７１をヒータで暖めることにより、これに付着した霜を除去する機能である。これらの機能は冷蔵空間２０内の温度を上昇させる可能性のある機能であるため、これらの機能の動作中に冷蔵空間２０の扉の開閉がなされた場合、常温の空気が入る影響で冷蔵空間２０内の温度が高くなり過ぎるおそれがある。しかし、上記実施形態の方法により、冷蔵空間２０の扉の開閉が無い時間帯にこれらの機能が動作するようになれば、冷蔵空間２０内の温度が高くなり過ぎることを防ぐことができる。
【００７６】
また、扉開閉検知部が設けられる扉は、前記所定機能の動作中に開閉することが望ましくない扉であれば良い。例えば前記所定機能が、冷凍用冷却器７２の設定温度を通常時の設定温度よりも高くする機能や、冷凍用冷却器７２の除霜を行う機能である場合、所定機能の動作中に冷凍空間４０の温度が高くなる可能性がある。そのため、これらの所定機能の動作中に冷凍室４２の引き出し式扉４３や製氷室４１の引き出し式扉４６が開閉すると、冷凍空間４０の温度が高くなり過ぎるおそれがある。そこで、扉開閉検知部が冷凍室４２の引き出し式扉４３や製氷室４１の引き出し式扉４６に設けられ、これらの扉の開閉が無い時間帯にこれらの機能が動作するように、制御部７０が制御することが望ましい。
【００７７】
また、上記の各制御例において、監視時間帯に扉開閉検知部が冷蔵庫の扉の開閉を検知しなかったことが、予め設定された所定回数連続した場合（つまり、監視時間帯に扉の開閉が検知されない日が所定日数（例えば５〜７日）続いた場合）は、制御部７０は監視開始時刻と監視終了時刻とを固定しても良い。その場合、監視開始時刻と監視終了時刻との固定後に開閉検知部が扉の開閉を検知しても、監視開始時刻と監視終了時刻とを所定時間ずらさない。この制御が実施された場合、冷蔵庫１０の利用者が普段冷蔵庫を利用しない時刻に偶発的に冷蔵庫１０の扉を開けたとしても、監視開始時刻と監視終了時刻とがその影響を受けるおそれが無い。
【００７８】
以上の実施形態は例示であり、発明の範囲はこれに限定されない。以上の実施形態は、その他の様々な形態で実施されることが可能であり、発明の要旨を逸脱しない範囲で、種々の省略、置換、変更を行うことができる。以上の実施形態やその変形は、特許請求の範囲に記載された発明とその均等の範囲に含まれるものである。
【符号の説明】
【００７９】
１０…冷蔵庫、１２…冷蔵庫本体、２０…冷蔵空間、２１…冷蔵室、２２…野菜室、２３…チルド室、２４…冷蔵室扉、２５…引き出し式扉、２６…野菜容器、２７…ファン、２８…除霜装置、３０…減酸素室、３１…ホルダ、３２…収納容器、４０…冷凍空間、４１…製氷室、４２…冷凍室、４３…引き出し式扉、４４…収納容器、４５…貯氷容器、４６…引き出し式扉、４７…ファン、４８…除霜装置、５０…減酸素装置、５１…ケース、５２…開口部、５３…開口部、５５…高分子電解質膜、５６…カソード層、５７…アノード層、５８…マイナス側の集電体、５９…プラス側の集電体、６１…撥水層、６２…撥水層、６３…給水シート、６５…固定部材、６６…固定部材、７０…制御部、７１…冷蔵用冷却器、７２…冷凍用冷却器、７３…扉センサ、７４…タイマ
【図１】
2019174111.tif 000003
【図２】
2019174111.tif 000004
【図３】
2019174111.tif 000005
【図４】
2019174111.tif 000006
【図５】
2019174111.tif 000007
【図６】
2019174111.tif 000008
【図７】
2019174111.tif 000009